(57)【特許請求の範囲】
【請求項１】
天板部の外周部分に支持脚を設けたコタツであって、
前記支持脚は、前記天板部の前記外周部分に取り付けられた筒状の上側脚部と、この上側脚部の内側にスライド可能に嵌め込まれた筒状の下側脚部と、前記下側脚部を前記上側脚部に固定する固定手段と、を備え、
前記固定手段は、前記上側脚部の周壁又は側壁に設けられた上側固定孔及び前記下側脚部の周壁又は側壁に設けられた下側固定孔に通されて、前記上側脚部に対して前記下側脚部がスライドするのを防止する固定用ボルトであり、
前記上側脚部の下端部内側には、内部を前記下側脚部がスライドできるように形成された環状ストッパが嵌め付けられ、
前記下側脚部の上端部内側には、前記上側脚部内をスライドでき、かつ、前記環状ストッパと当接するように形成された係止フランジを有する抜け止め部材が嵌め付けられていて、
前記上側固定孔は、前記上側脚部の周壁又は側壁下端部に、前記環状ストッパを貫通して形成されている、ことを特徴とする支持脚伸縮コタツ。
【請求項２】
前記上側脚部又は上側脚部本体は非金属材料で形成され、前記下側脚部又は下側脚部本体も非金属材料で形成されている、ことを特徴とする請求項１記載の支持脚伸縮コタツ。
【請求項３】
前記環状ストッパは、内周の断面形状が前記下側脚部の外周の断面形状と等しく又はほぼ等しく形成され、前記下側脚部は、隙間のない状態又はほとんど隙間のない状態でこの環状ストッパ内にスライド可能に嵌り込んでいる、ことを特徴とする請求項1又は２記載の支持脚伸縮コタツ。
【請求項４】
前記係止フランジは、外周の断面形状が前記上側脚部の内周の断面形状と等しく又はほぼ等しく形成され、隙間のない状態又はほとんど隙間のない状態で前記上側脚部内にスライド可能に嵌まり込んでいる、ことを特徴とする請求項１、２又は３記載の支持脚伸縮コタツ。
【請求項５】
前記下側固定孔は、前記下側脚部の周壁又は側壁に、上下方向に間隔を設けて複数形成されている、ことを特徴とする請求項１、２、３又は４記載の支持脚伸縮コタツ。
【請求項６】
前記下側固定孔は雌ネジ孔であり、前記固定用ボルトは頭部及び軸部を有し、前記軸部の前記頭部側には、前記雌ネジ孔にネジ込まれる雄ネジ部が形成されている、ことを特徴とする請求項１、２、３、４又は５記載の支持脚伸縮コタツ。
【請求項７】
前記下側脚部の周壁又は側壁には取り付け孔が設けられ、この周壁又は側壁の内面には、前記取り付け孔位置で雌ネジ部材が取り付けられていて、この雌ネジ部材は、前記雌ネジ孔が形成された環状部と、この環状部の先端部外周に一体的に形成された固定フランジ部と、前記環状部の先端面に、前記雌ネジ孔の周囲で環状に突出する嵌め込み部と、を一体的に有し、前記嵌め込み部が前記取り付け孔に嵌まり込んだ状態で、前記固定フランジ部が前記下側脚部の周壁又は側壁内面に固定されることにより、前記周壁又は側壁に取り付けられている、ことを特徴とする請求項１、２、３、４、５又は６記載の支持脚伸縮コタツ。
【請求項８】
前記嵌め込み部は、先端面が前記下側脚部の周壁又は側壁外面と共面を形成するように、前記取り付け孔に嵌まり込んでいる、ことを特徴とする請求項７記載の支持脚伸縮コタツ。
【発明の詳細な説明】
【技術分野】
【０００１】
本発明は、暖房用の器具であるコタツに関する。
【背景技術】
【０００２】
暖房用の器具であるコタツは、中天板の外周部分を支持脚で支えたコタツ櫓にコタツ布団を掛け、天板を載せて構成したり、または、天板の外周部分を支持脚で直接支え、天板の周囲にコタツ布団を配置して構成し、コタツ布団の中に例えば下半身を入れて使用する。そして、中天板又は天板の裏面にはヒーターが設けられていて、このヒーターによりコタツ布団の中が暖房される。
【０００３】
こういった構造のコタツでは、使用者の体型や使用態様に応じて中天板や天板を上下させ、中天板や天板の高さを調整できるように構成されているのが効果的である。あるいは、冬季は暖房器具として使用されるが、夏季などにはテーブルとして使用される家具調コタツの場合、テーブルとしての使用時にテーブルの高さを調整できると、利便性が格段に向上する。
【０００４】
中天板や天板の高さを調整できるコタツとしては、例えば特許文献１や特許文献２に記載されているように、支持脚を伸縮可能に構成したものが知られている。特許文献１の支持脚伸縮コタツでは、支持脚は、上側の固定筒１内に下側の支脚７をスライド可能に挿入することにより組み立てられていて、支脚７に設けた突子体１１を、高さ方向に間隔を設けて固定筒１に複数形成された孔６のいずれかに嵌め込んで支持脚の長さ又は高さを調節できるように構成されている。また、特許文献２の支持脚伸縮コタツでは、支持脚は、上側の基端筒体１内に中間筒体２をスライド可能に挿入するとともに、中間筒体２内に先端筒体３を挿入することにより組み立てられていて、基端筒体１に設けた係止部材１６の係止部１９を、高さ方向に間隔を設けて中間筒体１２に複数形成された凹所１２のいずれかに係合させて支持脚の長さ又は高さを調節できるように構成されている。さらに、特許文献２の支持脚伸縮コタツでは、中間筒体２の凹所１３と先端筒体３の係止爪部２５との係合を解除して先端筒部３を中間筒体２内に収めることができるように構成されている。
【先行技術文献】
【特許文献】
【０００５】
【特許文献１】実願昭６１−３６４５２号明細書・図面
【特許文献２】実願昭６２−１７０４７２号明細書・図面
【発明の概要】
【発明が解決しようとする課題】
【０００６】
しかしながら、特許文献１の支持脚伸縮コタツでは、支持脚を伸ばす際に、誤って上側の固定筒１から下側の支脚７を抜き出してしまうおそれがあり、使い勝手が良くない。また、特許文献２の支持脚伸縮コタツでも、支持脚を伸ばす際に、誤って上側の基端筒体１から中間筒体２を抜き出してしまうおそれがあるし、支持脚を最も短くした状態から下側の先端筒体３を引き出すと、中間筒体２から先端筒体３を抜き出してしまうおそれもある。さらに、板バネ２３を誤って押圧し、中間筒体２から下側の先端筒体３を抜き出してしまうおそれもあるので、やはり使い勝手が良くない。
【０００７】
そこで本発明は、支持脚を伸縮可能に構成した使い勝手の良好なコタツの提供を目的とする。
【課題を解決するための手段】
【０００８】
この目的を達成するための本発明の支持脚伸縮コタツは、天板部（中天板又は天板）の外周部分に支持脚を設けたコタツであって、前記支持脚は、前記天板部の前記外周部分に取り付けられた筒状の上側脚部と、この上側脚部の内側にスライド可能に嵌め込まれた筒状の下側脚部と、前記下側脚部を前記上側脚部に固定する固定手段と、を備え、前記固定手段は、前記上側脚部の周壁又は側壁に設けられた上側固定孔及び前記下側脚部の周壁又は側壁に設けられた下側固定孔に通されて、前記上側脚部に対して前記下側脚部がスライドするのを防止する固定用ボルト（例えば頭部及ぶ軸部から一体的に形成される）であり、前記上側脚部の下端部内側には、内部を前記下側脚部がスライドできるように形成された環状ストッパが嵌め付けられていて、前記下側脚部の上端部内側には、前記上側脚部内をスライドでき、かつ、前記環状ストッパと当接するように形成された係止フランジを有する抜け止め部材が嵌め付けられているものである。
【０００９】
ところで、コタツの支持脚（支持脚の本体）には、電気用品安全法の規制により金属パイプを用いることができない。したがって、支持脚（支持脚の本体）には、あるいは上側脚部（上側脚部本体）及び下側脚部（下側脚部本体）には、木、ＭＤＦ、合成木材、プラスチック又はその他の非金属材料が使用されることとなるが、こういった材料で支持脚を形成すると、上側固定孔や下側固定孔の強度が不足する場合も考えられる。そこで、上側固定孔を、上側脚部の周壁又は側壁下端部に、環状ストッパを貫通して形成しておくのが得策である。このように上側固定孔を形成すれば、上側固定孔は上側脚部の周壁及び環状ストッパ（環状ストッパの周壁又は側壁）を貫通することとなるので、十分な強度を有することとなる。
【００１０】
環状ストッパは、上側脚部及び下側脚部の断面形状に対応して、断面円形状、正方形状又は四角形状などに形成されるが、例えば、内周の断面形状（形及び大きさ）が下側脚部の外周の断面形状と等しく又はほぼ等しく設定され、下側脚部が、隙間のない状態又はほとんど隙間のない状態でこの環状ストッパ内にスライド可能に嵌り込むように構成される。すなわち、環状ストッパは、例えば、内周形状が下側脚部の外周形状と同一又はほぼ同一に形成される。また、係止フランジは、例えば、外周の断面形状が上側脚部の内周の断面形状と等しく又はほぼ等しく形成され、隙間のない状態又はほとんど隙間のない状態で上側脚部内にスライド可能に嵌まり込んでいる。
【００１１】
下側固定孔は、下側脚部の周壁又は側壁に、上下方向に間隔を設けて複数個形成されているといったように構成できる。
【００１２】
下側固定孔は雌ネジ孔であり、固定用ボルトは頭部及び軸部を有し、軸部の頭部側には、雌ネジ孔にネジ込まれる雄ネジ部が形成されているといったように構成できる。このように構成すれば、固定用ボルトを雌ネジ孔にねじ込むだけで、上側脚部と下側脚部を確実に固定することができる。
【００１３】
下側脚部の周壁又は側壁には取り付け孔が設けられ、この周壁又は側壁の内面（裏面）には、取り付け孔位置で雌ネジ部材が取り付けられていて、この雌ネジ部材は、雌ネジ孔が形成された環状部と、この環状部の先端部外周に一体的に形成された固定フランジ部と、環状部の先端面に、雌ネジ孔の周囲で環状に突出する嵌め込み部と、を一体的に有し、嵌め込み部が取り付け孔に嵌まり込んだ状態で、固定フランジ部が下側脚部の周壁又は側壁内面（裏面）に固定されることにより、周壁又は側壁に取り付けられているといったように構成できる。嵌め込み部は、取り付け孔と同一又はほぼ同一の大きさ（より具体的には同一又はほぼ同一の形状及び大きさ）を有することが効果的である。このように構成すれば、雌ネジ孔を簡単かつ強固に下側脚部に形成できる。
【００１４】
嵌め込み部は、先端面が下側脚部の周壁又は側壁外面（表面）と共面を形成するように、取り付け孔に嵌まり込んでいるといったように構成できる。ここでは、雌ネジ部材が、下側脚部のスムーズなスライド移動を妨げない状態で、下側脚部にしっかりと固定される。
【発明の効果】
【００１５】
以上説明したように、本発明の支持脚伸縮コタツでは、筒状の上側脚部から筒状の下側脚部を誤って抜き出してしまうといったことが効果的に規制される。
【図面の簡単な説明】
【００１６】
【図１】本発明に係る家具調支持脚伸縮コタツであって暖房器具として使用する場合の斜視図である。
【図２】本発明に係る家具調支持脚伸縮コタツであってテーブルとして使用する場合の斜視図である。
【図３】図１に示す家具調支持脚伸縮コタツの分解斜視図である。
【図４】図２に示す家具調支持脚伸縮コタツの分解斜視図である。
【図５】天板の分解斜視図である。
【図６】中天板の分解斜視図である。
【図７】上側脚部の分解斜視図である。
【図８】下側脚部の分解斜視図である。
【図９】取り付け孔位置の断面図である。
【図１０】図１の支持脚の断面図である。
【図１１】下側脚部を上側脚部に固定する場合を説明する図である。
【図１２】図２の支持脚の断面図である。
【図１３】支持脚の抜け止め構造を説明する図である。
【図１４】支持脚の別の取り付け構造を示す図である。
【発明を実施するための形態】
【００１７】
以下、本発明を実施するための形態を図面を参照して説明する。
【００１８】
図１は本発明に係る家具調支持脚伸縮コタツであって暖房器具として使用する場合の斜視図、図２は本発明に係る家具調支持脚伸縮コタツであってテーブルとして使用する場合の斜視図、図３は図１に示す家具調支持脚伸縮コタツの分解斜視図、図４は図２に示す家具調支持脚伸縮コタツの分解斜視図である。
【００１９】
家具調支持脚伸縮コタツ１は、４隅がそれぞれ支持脚３で支えられた正方形状の中天板５上に、中天板５と同一又はほぼ同一の正方形状の天板７を載せることにより構成されていて、天板７は、家具調支持脚伸縮コタツ１を暖房器具として使用する場合（図１の場合）には、コタツ布団９を介して中天板５上に載せられ、テーブルとして使用する場合（図２の場合）には、中天板５上に直接載せられる。
【００２０】
図３に示すように、暖房器具として使用する場合の家具調支持脚伸縮コタツ１は、中天板５の４隅に設けられたボルト孔１１に上面側から脚取り付けボルト１３を通し、支持脚３の上端面に設けられた雌ネジ孔１５にこの脚取り付けボルト１３をねじ込むことにより支持脚３を中天板５に取り付け、中天板５上にコタツ布団９を掛けてから天板７を載せて組み立てられている。ボルト孔１１は脚取り付けボルト１３の頭部が中天板５の表面から突出しないように形成されている。支持脚３は、筒状（断面正方形の筒状）の上側脚部１７内に筒状（断面正方形の筒状）の下側脚部１９をスライド可能に挿入し、脚固定ボルト２１を用いて上側脚部１７に下側脚部１９を固定（上下方向に固定）したものであり、上側脚部１７からの下側脚部１９の突出長さを変えることにより高さ調節できるように構成されている。
【００２１】
テーブルとして使用する場合の家具調支持脚伸縮コタツ１は、コタツ布団９を用いることなく、中天板５上に天板７を直接載せることにより組み立てられているが、天板７のずれを防止するために、中天板５の一組の対角部に設けられたボルト孔２１に下面側から板固定ボルト２３を通し、天板７の一対の対角部下面に設けられた雌ネジ孔２５（図５参照）にこの板固定ボルト２３をねじ込んでいる。また、ここでは、下側脚部１９が上側脚部１７から長く引き出された状態となっている。
【００２２】
図５は天板７の分解斜視図である。
【００２３】
天板７は、天板用角材２７を組み合わせて形成された正方形状の天板用枠部２９と、この天板用枠部２９内に配置されたハニカム紙３１と、天板用枠部２９の上下両面側に固定して設けられた表面プレート３３及び裏面プレート３５と、から構成されていて、天板用枠部２９の一組の対角部内側には、天板用角材２７と同一又はほぼ同一の厚みを有する正方形状の補強駒３２が固定されている。ハニカム紙３１は、補強駒３２が設けられた天板用枠部２９の内側形状と同一又はほぼ同一に形成され、天板用角材２７と同一又はほぼ同一の厚みを有している。補強駒３２の裏面には雌ネジ部（図示せず）が形成されていて、裏面プレート３５は、一組の対角部に設けられた貫通孔３７が補強駒３２の裏面の雌ネジ部と一致して雌ネジ孔２５を形成するように、天板用枠部２９に固定されている。
【００２４】
中天板５は、中天板用角材３９を組み合わせて形成された正方形状の中天板用枠部４１と、この中天板用枠部４１の上下両面側に固定して設けられた上面プレート４３及び下面プレート４５と、から構成されていて、下面プレート４５の裏面にはヒーター４７が取り付けられている。中天板用枠部４１には、枠部４１内を長方形状に三等分又はほぼ三等分するように、２本の縦梁角材４９が配置されていて、中天板用角材３９と縦梁角材４９とは同一又はほぼ同一の厚みを有している。また、中天板用枠部４１の４隅内側には、中天板用角材３９と同一又はほぼ同一の厚みを有する正方形状の補強駒５１が固定されている。
【００２５】
ボルト孔１１は、中天板５の４隅の外端部で、上面プレート４３、中天板用角材３９及び下面プレート４５を貫通して形成され、このボルト孔１１の内側ではそれぞれ、中天板５に、下面プレート４５を貫通し、補強駒５１内まで延びる位置決め孔５３が設けられていて、ボルト孔２１は、中天板５の一対の対角部の内端部で、上面プレート４３、中天板用角材３９及び下面プレート４５を貫通して形成されている。中天板５の位置決め孔５３には、支持脚３の上端面から突出する位置決めピン５４が差し込まれている（図３及び図４も参照）。
【００２６】
ヒーター４７にはＬ型金具５５の一片部５７が取り付けネジ（図示せず）を用いて取り付けられていて、このＬ型金具５５の他片部５９を取り付けネジ６３で下面プレート４５に固定することで、ヒーター４７は下面プレート４５に取り付けられている。下面プレート４５の中央側には複数の貫通孔６５が設けられ、この貫通孔６５は、縦梁角材４９の裏面に設けられた雌ネジ部（図示せず）と一致して雌ネジ孔６７を形成していて、取り付けネジ６３はＬ型金具５５の他片部５９の穴６６を通って雌ネジ孔６７にねじ込まれ、Ｌ型金具５５の他片部５９を下面プレート４５に固定している。
【００２７】
図７は上側脚部１７の分解斜視図である。
【００２８】
上側脚部１７は、断面正方形状の薄肉筒状体である木製、ＭＤＦ製、合成木材製、プラスチック製又はその他の材料製の上側脚部本体６９と、この上側脚部本体６９の上端部に嵌め付けられた断面正方形状のプラスチック製上側キャップ７１と、上側脚部本体６９の下端部に嵌め付けられた断面正方形状の薄肉のプラスチック製環状ストッパ７３と、から構成されている。上側キャップ７１は、薄肉の正方形環状の側壁部７５と、この側壁部７５の上端部に形成された天井部７７及び外向き当接フランジ部７９と、を有していて、外向き当接フランジ部７９が上側脚部本体６９の上端縁に当接するまで側壁部７５を上側脚部本体６９の上端部にきつく嵌め込むことにより、上側脚部本体６９に嵌め付けられている。雌ネジ孔１５及び位置決めピン５４はこの上側キャップ７１の天井部７７に形成されていて、側壁部７５の外面は、上側キャップ７１の嵌め付け強度を高めるために凹凸状に形成されている。
【００２９】
環状ストッパ７３は、薄肉の正方形環状の側壁部８３と、この側壁部８３の下端部に形成された外向き当接フランジ部８５と、を有していて、側壁部８３に設けられた貫通孔８７が、上側脚部本体６９の下端部に設けられた貫通孔８９と一致して上側固定孔９１を形成するように、かつ、外向き当接フランジ部８５が上側脚部本体６９の下端縁に当接するまで、側壁部８３を上側脚部本体６９の下端部にきつく嵌め込み、接着剤で固定して、上側脚部本体６９に嵌め付けられている。環状ストッパ７３の側壁部８３の外面は、環状ストッパ７３の嵌め付け強度を高めるために凹凸状に形成されている。
【００３０】
図８は下側脚部１９の分解斜視図、図９は取り付け孔位置の断面図である。
【００３１】
下側脚部１９は、断面正方形状の薄肉筒状体である木製、ＭＤＦ製、合成木材製、プラスチック製又はその他の材料製の下側脚部本体９３と、この下側脚部本体９３の上端部に嵌め付けられた断面正方形状のプラスチック製環状抜け止め部材９５と、下側脚部本体９３の下端部に嵌め付けられた断面正方形状のプラスチック製下側キャップ９７と、から構成されている。環状抜け止め部材９５は、薄肉の正方形環状の側壁部９９と、この側壁部９９の上端部に形成された外向き係止フランジ１０１と、を有していて、外向き係止フランジ１０１が下側脚部本体９３の上端縁に当接するまで側壁部９９を下側脚部本体９３の上端部にきつく嵌め込むことにより、下側脚部本体９３に嵌め付けられている。環状抜け止め部材９５の側壁部９９の外面は、環状抜け止め部材９５の嵌め付け強度を高めるために凹凸状に形成されている。下側キャップ９７は、薄肉の正方形環状の側壁部１０３と、この側壁部１０３の下端部に形成された底部１０５及び外向き当接フランジ部１０７と、を有していて、外向き当接フランジ部１０７が下側脚部本体９３の下端縁に当接するまで側壁部１０３を下側脚部本体９３の下端部にきつく嵌め込むことにより、下側脚部本体９３に嵌め付けられている。下側キャップ９７の側壁部１０３の外面は、下側キャップ９７の嵌め付け強度を高めるために凹凸状に形成されている。
【００３２】
下側脚部本体９３（より具体的には下側脚部本体９３の１つの側面部）には高さ方向に間隔を有して複数（ここでは４つ）の取り付け孔１０８が形成されている。それぞれの取り付け孔１０８位置には、下側脚部本体９３の内側から雌ネジ部材１０９が固定されている。雌ネジ部材１０９は、内周に金属製雌ネジ環１１１が埋め込まれて雌ネジ孔１１３が形成された環状部１１５と、この環状部１１５の先端部外周に一体的に形成された正方形状の固定フランジ部１１７と、環状部１１５の先端面又は前端面に、雌ネジ孔１１３の周囲で環状に突出する嵌め込み部１１９と、を一体的に有している。嵌め込み部１１９の内周面は雌ネジ孔１１３に連続している。このような構成の雌ネジ部材１０９は、嵌め込み部１１９を取り付け孔１０８に嵌め込み、固定フランジ１１７を下側脚部本体９３の内面（裏面）に接着剤で固定して、取り付け孔１０８位置に取り付けられている。嵌め込み部１１９の外径は、取り付け孔１０８の内径と同一又はほぼ同一に設定され、嵌め込み部１１９の突出長さは取り付け孔１０８の厚みと同一又はほぼ同一に設定されている。
【００３３】
図１０は図１の支持脚３の断面図、図１１は下側脚部を上側脚部に固定する場合を説明する図、図１２は図２の支持脚３の断面図である。
【００３４】
支持脚３は、例えば、環状ストッパ７３を固定した上側脚部本体６９の上端開口に、雌ネジ部材１０９を固定し、環状抜け止め部材９５が取り付けられた下側脚部本体９３を、下端側から挿入し、下側脚部本体９３を上側脚部本体６９の下端開口から引き出し、下側脚部本体９３の下端部に下側キャップ９７を固定するとともに、上側脚部本体６９の上端部に上側キャップ７１を取り付けることにより組み立てられる。上側脚部本体６９への下側脚部本体９３の挿入は、下側脚部本体９３の雌ネジ部材１０９が取り付けられている側面部又は側壁部と上側脚部本体６９の上側固定孔９１が設けられている側面部又は側壁部とが一致するようにして行われる。
【００３５】
このようにして構成された支持脚３では、下側脚部１９を上側脚部１７から引き出したり、下側脚部１９を上側脚部１７に押し込んだりして長さ又は高さを調整又は調節することができる。そして、上側固定孔９１と雌ネジ孔１１３の１つとを一致させ、脚固定ボルト２１を、上側固定孔９１に差し込み、雌ネジ孔１１３にねじ込むことにより、下側脚部１９を上側脚部１７に固定する。脚固定ボルト２１は、頭部１２１及び軸部１２３を有し、軸部１２３の頭部１２１側に雄ネジ部１２５を有していて、この雄ネジ部１２５が雌ネジ孔１１３にねじ込まれるように形成されている。なお、環状ストッパ７３の内周の正方形状は、下側脚部本体９３の外周の正方形状と同一又はほぼ同一の大きさを有し、また、外向き係止フランジ１０１の外周の正方形状は、上側脚部本体６９の内周の正方形状と同一又はほぼ同一の大きさを有しているので、下側脚部１９は、下側脚部本体９３が環状ストッパ７３の内周を比較的強くこすり、外向き係止フランジ１０１が上側脚部本体６９の内周を比較的強くこすりながら、上側脚部１７内をスライドするが、上側脚部１７と下側脚部１９との間にがたは発生しない。
【００３６】
図１３は支持脚３の抜け止め構造を説明する図である。
【００３７】
下側脚部１９を上側脚部１７から抜き出そうとしても、外向き係止フランジ１０１が環状ストッパ７３の上端縁１２７（図１１も参照）と当接し、下側脚部１９を上側脚部１７からそれ以上引き出すことができないように構成されている。
【００３８】
図１４は支持脚３の別の取り付け構造を示す図である。
【００３９】
ここでは、上側キャップ７１の天井部７７に、位置決めピン５４に代えて２つ目の雌ネジ孔１２９が形成されている。また、中天板５には、位置決め孔５３に代えて２つ目のボルト孔１３１が設けられていて、それぞれのボルト孔１１、１３１に上面側から脚取り付けボルト１３を通し、支持脚３の上端面に設けられた雌ネジ孔１５、１２９にそれぞれ、この脚取り付けボルト１３をねじ込むことにより支持脚３を中天板５に取り付けている。ボルト孔１３１も脚取り付けボルト１３の頭部が中天板５の表面から突出しないように形成されている。２つ目のボルト孔１３１は、上面プレート４３、補強駒５１及び下面プレート４５を貫通して形成されているが、１つ目のボルト孔１１及び１つ目の雌ネジ孔１５の位置は図７に示す場合と若干異なっている。
【産業上の利用可能性】
【００４０】
本発明の支持脚伸縮コタツでは、上側脚部から誤って下側脚部を引き抜いてしまうといったことが効果的に防止される。
【符号の説明】
【００４１】
１                                家具調支持脚伸縮コタツ
３                                支持脚
５                                中天板
７                                天板
１７                                上側脚部
１９                                下側脚部
２１                                脚固定ボルト（固定手段）
７３                                環状ストッパ
９７                                下側キャップ(抜け止め部材)
１０１                                外向き係止フランジ
【図１】
0005504520.tif 000002
【図２】
0005504520.tif 000003
【図３】
0005504520.tif 000004
【図４】
0005504520.tif 000005
【図５】
0005504520.tif 000006
【図６】
0005504520.tif 000007
【図７】
0005504520.tif 000008
【図８】
0005504520.tif 000009
【図９】
0005504520.tif 000010
【図１０】
0005504520.tif 000011
【図１１】
0005504520.tif 000012
【図１２】
0005504520.tif 000013
【図１３】
0005504520.tif 000014
【図１４】
0005504520.tif 000015